(57)【特許請求の範囲】
【請求項１】
第１の車載器と、
料金収受システムの路側機と通信して料金収受を行う第２の車載器と、
前記第１の車載器と通信する通信部と、各種情報を表示する表示部と、前記通信部及び前記表示部に関する処理を実行するためのアプリケーションプログラムを保持する読み出し専用メモリと、を有する携帯端末と、を備え、
前記第１の車載器は、前記第２の車載器から前記料金収受に関する利用情報を受信し、且つ、前記利用情報を前記携帯端末に送信し、
前記携帯端末は、前記アプリケーションプログラムを実行することによって、前記通信部が前記第１の車載器から前記利用情報を受信したか否かを判定し、前記利用情報を受信したと判定したことに基づいて前記表示部が前記利用情報に基づいて作成される領収情報を出力する、ことを特徴とする領収情報出力システム。
【請求項２】
前記第１の車載器は、デジタルタコグラフであることを特徴とする請求項１に記載の領収情報出力システム。
【発明の詳細な説明】
【技術分野】
【０００１】
本発明は、車両に搭載されて利用される領収情報出力システム、及びデジタルタコグラフに関する。
【背景技術】
【０００２】
現在、有料道路等では料金所における渋滞緩和のために車両の通行料金の収受にＥＴＣ（Electronic Toll Collection）システムと呼ばれる有料道路自動料金収受システムが実用化されている（特許文献１又は特許文献２参照。）。
【先行技術文献】
【特許文献】
【０００３】
【特許文献１】特開２００１−３３１８２８号公報
【特許文献２】特開２００６−５３６０２号公報
【発明の概要】
【発明が解決しようとする課題】
【０００４】
特許文献１に開示されている通行料金課金システムは、ＥＴＣのホストコンピュータから携帯電話を介して車載端末に通行の状況を送信して、車内に設置されたプリンタから利用情報を出力するものである。しかしながら、特許文献１に開示されている通行料金課金システムでは、プリンタを予め車両に搭載しておく必要があり、低コスト化が困難であると本発明の発明者は認識している。
【０００５】
また、特許文献２に開示されている車載器利用履歴表示システムは、車両の外部に用意したアプリケーションサーバにおいて利用情報を変換及び蓄積し、利用情報を携帯電話に送信して画面に出力するものである。しかしながら、特許文献２に開示されている車載器利用履歴表示システムでは、プリンタを予め車両に搭載しておく必要はないが、利用情報を取得するためには、利用者は携帯電話により外部に用意されたアプリケーションサーバにアクセスする必要がある。このアプリケーションサーバにアクセスするためには、利用者はユーザー登録等の所定の手続きを行う必要があり、これらの手続きは利用者に対する負担となっていると本発明の発明者は認識している。
【０００６】
本発明は、上述した事情に鑑みてなされたものであり、その目的は、使用者が簡易な手続きによりＥＴＣ利用情報を確認可能な領収情報出力システムを提供することにある。
【課題を解決するための手段】
【０００７】
前述した目的を達成するために、本発明に係る領収情報出力システムは、下記（１）〜（２）を特徴としている。
（１）  第１の車載器と、
料金収受システムの路側機と通信して料金収受を行う第２の車載器と、
前記第１の車載器と通信する通信部と、各種情報を表示する表示部と、前記通信部及び前記表示部に関する処理を実行するためのアプリケーションプログラムを保持する読み出し専用メモリと、を有する携帯端末と、を備え、
前記第１の車載器は、前記第２の車載器から前記料金収受に関する利用情報を受信し、且つ、前記利用情報を前記携帯端末に送信し、
前記携帯端末は、前記アプリケーションプログラムを実行することによって、前記通信部が前記第１の車載器から前記利用情報を受信したか否かを判定し、前記利用情報を受信したと判定したことに基づいて、前記表示部が前記利用情報に基づいて作成される領収情報を出力する、こと。
（２）  上記（１）に記載の領収情報出力システムであって、
前記第１の車載器は、デジタルタコグラフであること。
【０００９】
上記（１）の構成の領収情報出力システムによれば、利用情報に基づいて作成される領収情報が携帯端末の表示部に出力される。
上記（２）の構成の領収情報出力システムによれば、利用情報がデジタルタコグラフを介して送受信され、利用情報に基づいて作成される領収情報が携帯端末の表示部に出力される。
【発明の効果】
【００１０】
本発明の領収情報出力システムによれば、使用者が簡易な手続きによりＥＴＣ利用情報を確認可能な領収情報出力システムを提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、実施形態に係る領収情報出力システムのハードウェアの構成例を示すブロック図である。
【図２】図２は、実施形態に係る領収情報出力システムにおけるＥＴＣ車載器、デジタルタコグラフ、及びスマートフォンの主要な動作を示すシーケンス図である。
【図３】図３は、実施形態に係る領収情報出力システムにおけるＥＴＣ領収書画面の表示例を示す図である。
【発明を実施するための形態】
【００１３】
本発明の領収情報出力システム、及びデジタルタコグラフに関する具体的な実施形態について、各図を参照しながら以下に説明する。以下、本明細書中では、有料道路の通行に対して料金を支払う者を利用者、本実施形態に係る領収情報出力システムを使用する者を使用者と称する。尚、利用者と使用者は同一であってもよい。
【００１４】
図１は、本実施形態に係る領収情報出力システム１のハードウェアの構成例を示す図である。図１に示すように、本実施形態に係る領収情報出力システム１は、互いに通信可能な状態で接続されるＥＴＣ車載器１００とデジタルタコグラフ２００とスマートフォン３００とを備えている。ＥＴＣ車載器１００とデジタルタコグラフ２００は、使用者が乗車する車両に搭載されている。スマートフォン３００は、持ち運び可能に構成されており、該車両内で使用される。
【００１５】
ＥＴＣ車載器１００は、有料道路の入口料金所及び出口料金所に設置されたＥＴＣ路側機１０１と通信を行い、車両が通行した経路の料金に基づく支払いを実行する。ＥＴＣ車載器１００は、ＩＣカードＩ／Ｆ（図示せず）を備えており、このＩＣカードＩ／Ｆを介して利用者のＩＣカード（図示せず）から利用者が登録した車両の情報及びクレジット会社の情報等を読み取る。また、ＥＴＣ車載器１００は、利用者のＩＣカードに有料道路の通行料金等の利用履歴を利用の度に記録する。また、ＥＴＣ車載器１００は、後述する通信Ｉ／Ｆ２０８を介してデジタルタコグラフ２００と通信し、利用者及び利用者が登録した車両を示す利用者コード、入口料金所番号、出口料金所番号、通行料金、及び通過時刻等のＥＴＣ利用情報をデジタルタコグラフ２００に出力する。
【００１６】
図１に示すように、デジタルタコグラフ２００は、マイクロコンピュータ（ＣＰＵ）２０１、速度／エンジン回転インタフェース（以下、インタフェースをＩ／Ｆと略記する。）２０２、電源Ｉ／Ｆ２０３、通信Ｉ／Ｆ２０４、時計回路（ＲＴＣ：リアルタイムクロック）２０５、カードＩ／Ｆ２０６、メモリーカード２０７、通信Ｉ／Ｆ２０８、外部入力Ｉ／Ｆ２０９、表示部（ＬＣＤ）２１０、ボタンＩ／Ｆ２１１を備えている。
【００１７】
マイクロコンピュータ（ＣＰＵ）２０１は、読み出し専用メモリ（図示せず）上に保持されているプログラムを実行することにより、デジタルタコグラフ２００を制御するために必要な処理を行う。主要な制御の内容として、マイクロコンピュータ２０１は、車両の営業運行中に運行状態を表す様々な情報を収集し、得られたデジタルデータを運行データとして記録し保存する。それ以外の特徴的な制御については、後で詳細に説明する。
【００１８】
速度／エンジン回転Ｉ／Ｆ２０２は、車速やエンジンの回転数を把握するための各種電気信号をマイクロコンピュータ２０１に入力するためのインタフェースである。例えば、車両の車輪の回転量（回転速度）に応じてパルス信号を発生する車速センサの出力端や、エンジン駆動部の回転量に応じた信号を出力するエンジン回転センサの出力端が速度／エンジン回転Ｉ／Ｆ２０２の入力端に接続される。
【００１９】
電源Ｉ／Ｆ２０３は、車両の電源回路（バッテリーの出力）の電圧をマイクロコンピュータ２０１が電源として利用可能な所定の電圧に変換するためのインタフェースである。
【００２０】
通信Ｉ／Ｆ２０４は、デジタルタコグラフ２００とスマートフォン３００との間でデータ通信を行うために用いられるインタフェースである。
【００２１】
時計回路２０５は、所定のクロックパルスを常時計数しており、現在の日付および時刻を把握してその情報を出力することができる。
【００２２】
カードＩ／Ｆ２０６は、記録媒体であるメモリーカード２０７を装着可能なカードスロットを備えており、装着されたメモリーカード２０７に対してマイクロコンピュータ２０１がアクセスするためのインタフェースとして機能する。メモリーカード２０７は、カードスロットに着脱自在に構成されており、不揮発性の半導体メモリが搭載されている。
【００２３】
通信Ｉ／Ｆ２０８は、デジタルタコグラフ２００とＥＴＣ車載器１００との間でデータ通信を行うために用いられるデジタルタコグラフ２００に配置されたインタフェースである。
【００２４】
外部入力Ｉ／Ｆ２０９は、オプションとして用意された外部機器、例えばスイッチユニットのような入力機器を接続するために利用される。
【００２５】
表示部（ＬＣＤ：Liquid Crystal Display）２１０は、デジタルタコグラフ２００の筐体の前面パネルに配置された表示画面を有する液晶表示器である。この表示画面上には、例えば図３に示すようなＥＴＣ領収書画面が表示される。
【００２６】
ボタンＩ／Ｆ２１１は、乗務員が操作可能な複数のスイッチからの電気信号をマイクロコンピュータ２０１に入力するためのインタフェースである。乗務員が各スイッチのボタンを操作した場合には、該当するスイッチの状態を表す信号がスイッチＩ／Ｆ２１１からマイクロコンピュータ２０１に入力される。
【００２７】
デジタルタコグラフ２００が単体で動作する場合の基本的な動作については、一般的な
デジタルタコグラフの場合と同様である。すなわち、速度／エンジン回転Ｉ／Ｆ２０２からマイクロコンピュータ２０１に入力される電気信号を監視して現在の車速およびエンジン回転数を把握して、これらの情報を含む運行データを時系列データとして一定の周期で記録媒体であるメモリーカード２０７上に記録する。
【００２８】
図１に示すように、スマートフォン３００は、マイクロコンピュータ３０１、表示部（ＬＣＤ）３０２、操作部３０３、ＲＡＭ（Random Access Memory）３０４、及び通信Ｉ／Ｆ３０５を備えている。
【００２９】
マイクロコンピュータ（ＣＰＵ）３０１は、読み出し専用メモリ（図示せず）上に保持されているプログラムを実行することにより、スマートフォン３００を制御するために必要な様々な処理を行う。例えば、図２のシーケンス図に示した処理のうち、スマートフォン３００に関する処理を実行するためのアプリケーションプログラムが読み出し専用メモリに保持されており、マイクロコンピュータ３０１はこのアプリケーションプログラムを実行する。
【００３０】
表示部（ＬＣＤ）３０２及び操作部３０３は、液晶表示器（ＬＣＤ）による２次元画面表示を行うと同時に、該画面への指の接触による操作入力を受け付け可能なタッチパネルにより構成されている。
【００３１】
表示部（ＬＣＤ）３０２は、タッチパネルに一体的に備えられており、液晶デバイスにより構成された多数の微小表示セルをＸ方向及びＹ方向に並べて配置されたカラーの２次元表示画面を有している。多数の微小表示セルの表示状態をセル毎に制御することにより、２次元表示画面上に図形、文字、画像等の所望の情報をグラフィック表示することができる。
【００３２】
操作部３０３は、表示部３０２の２次元表示画面上にグラフィック表示されて構成されており、各種操作入力を受け付ける。尚、操作部３０３は、表示部３０２とは別にキーボード等により構成されていてもよい。
【００３３】
ＲＡＭ３０４は、データの読み書きが自在のメモリ（ＲＡＭ）で構成されており、一時的に使用する各種データを保持するために利用される。例えば、後述する図３のステップＳ３０１において受信したＥＴＣ利用情報がＲＡＭ３０４上に保持される。
【００３４】
通信Ｉ／Ｆ３０５は、デジタルタコグラフ２００とスマートフォン３００との間でデータ通信を行うために用いられるスマートフォン３００側に配置されたインタフェースである。
【００３５】
次に、本実施形態に係る領収情報出力システムにおけるＥＴＣ車載器１００、デジタルタコグラフ２００、及びスマートフォン３００の主要な動作を説明する。図２は、実施形態に係る領収情報出力システムにおけるＥＴＣ車載器１００、デジタルタコグラフ２００、及びスマートフォン３００の主要な動作を示すシーケンス図である。
【００３６】
まず、ＥＴＣ車載器１００の動作について説明する。ＥＴＣ車載器１００が搭載された車両が有料道路の入口料金所及び出口料金所を通過し、１回の有料道路の利用が終了すると、ＥＴＣ車載器１００は、ステップＳ１０１を実行する。
【００３７】
ステップＳ１０１では、ＥＴＣ車載器１００は、通信Ｉ／Ｆ２０８を介してデジタルタコグラフ２００と通信し、利用者及び利用者が登録した車両を利用者コード、入口料金所番号、出口料金所番号、通行料金、及び通過時刻に関するＥＴＣ利用情報等をデジタルタコグラフ２００に送信する。
【００３８】
次に、デジタルタコグラフ２００の動作について説明する。デジタルタコグラフ２００のマイクロコンピュータ２０１は、車両のイグニッションスイッチがオンにされて直流電圧が供給されると、ステップＳ２０１を実行する。
【００３９】
ステップＳ２０１では、マイクロコンピュータ２０１は、ＥＴＣ車載器１００からＥＴＣ利用情報を受信したか否かを判定する。判定の結果、ＥＴＣ利用情報を受信していないと判定した場合には、再度ステップＳ２０１の処理を繰り返す。一方、判定により、ＥＴＣ利用情報を受信したと判定した場合には、ステップＳ２０２の処理を実行する。
【００４０】
ステップＳ２０２では、マイクロコンピュータ２０１は、通信Ｉ／Ｆ２０４及び通信Ｉ／Ｆ３０５を介してスマートフォン３００と通信し、ＥＴＣ利用情報をスマートフォン３００に送信する。
【００４１】
次に、スマートフォン３００の動作について説明する。スマートフォン３００のマイクロコンピュータ３０１は、アプリケーションプログラムの実行を指示する操作入力信号を操作部３０３を介して受け付けると、読み出し専用メモリに保持されたアプリケーションプログラムを実行し、ステップＳ３０１を実行する。
【００４２】
ステップＳ３０１では、マイクロコンピュータ３０１は、デジタルタコグラフ２００からＥＴＣ利用情報を受信したか否かを判定する。判定の結果、ＥＴＣ利用情報を受信していないと判定した場合には、再度ステップＳ３０１の処理を繰り返す。一方、判定により、ＥＴＣ利用情報を受信したと判定した場合には、ステップＳ３０２の処理を実行する。
【００４３】
ステップＳ３０２では、マイクロコンピュータ３０１は、デジタルタコグラフ２００から受信したＥＴＣ利用情報に基づいて、以下の表１に示すようなデータテーブルを作成する。より具体的には、読み出し専用メモリに保持された固定文字情報及び定型文情報等を参照し、これらと受信したＥＴＣ利用情報とを統合することによりデータテーブルを作成する。
【００４４】
【表１】
0005926933.tif 000002
【００４５】
ステップＳ３０３では、マイクロコンピュータ３０１は、ステップＳ３０２で作成したデータテーブルに基づいて図３に示すようなＥＴＣ領収書画面を表示部３０２に出力する。
【００４６】
図３に示すように、ＥＴＣ領収書画面では、有料道路の利用に関する情報を使用者に提示する。以下、符号１１〜１７までの各領域に表示される情報について説明する。
【００４７】
領域１１には、「領収書」等の固定文字が表示されている。これにより、有料道路の利用により領収された料金に関する情報を表示していることが使用者に示される。
【００４８】
領域１２には、通過時刻の年月日が表示されている。これにより、有料道路を利用した日が使用者に示される。
【００４９】
領域１３には、利用者コードが表示されている。これにより、利用者及び利用者が登録した車両を特定する利用者コードが使用者に示される。
【００５０】
領域１４には、通行料金が表示されている。これにより、有料道路の通行料金が使用者に示される。
【００５１】
領域１５には、入口料金所番号及び出口料金所番号が表示されている。これにより、入口料金所番号及び出口料金所番号が使用者に示される。
【００５２】
領域１６には、通過時刻の分秒と、アルファベットのＡが続けて表示されている。このアルファベットのＡは、車両が有料道路の入口料金所及び出口料金所を通過し、１回の有料道路の利用が終了したことにより、ＥＴＣ領収書画面が表示部３０２に出力されたことを使用者に示すための記号である。後述するように、アルファベットのＡに換えてアルファベットのＢが表示される場合もある。
【００５３】
領域１７には、会社名や住所、電話番号等の定型文が表示されている。これにより、本実施形態に係る領収情報出力システム１が、例えばタクシーに搭載され、利用者がタクシー運転手であり、使用者がタクシーの乗客である場合等に、どのタクシー会社によりＥＴＣ領収が発行されたかを使用者に示すことができる。また、領域１７は、広告等を表示するために用いてもよい。
【００５４】
以下では、本実施形態に係る領収情報出力システム１の作用及び効果について説明する。
【００５５】
本実施形態に係る領収情報出力システム１は、第１の車載器であるデジタルタコグラフ２００と、料金収受システムの路側機１０１と通信して料金収受を行う第２の車載器であるＥＴＣ車載器１００と、デジタルタコグラフ２００と通信するための通信Ｉ／Ｆ３０５及び各種情報を表示する表示部３０２を有する携帯端末であるスマートフォン３００と、を備え、デジタルタコグラフ２００は、ＥＴＣ車載器１００から料金収受に関する利用情報を受信し、且つ、利用情報をスマートフォン３００に送信し、スマートフォン３００は、通信Ｉ／Ｆ３０５を介してデジタルタコグラフ２００から利用情報を受信し、表示部３０２が利用情報に基づいて作成されるＥＴＣ領収書画面を出力する。
これにより、利用情報に基づいて作成されるＥＴＣの領収情報がスマートフォン３００の表示部３０２に出力される。
この結果、車両の外部に予め用意されたアプリケーションサーバを用いることなく、即ちユーザー登録等の所定の手続きを行うことなく、使用者はＥＴＣの領収情報を確認することができる。よって、本実施形態に係る領収情報出力システム１によれば、使用者が簡易な手続きによりＥＴＣ利用情報を確認可能な領収情報出力システムを提供できる。また、アプリケーションサーバにアクセスすることを必要としないために、通信コストを削減できる。
【００５６】
また、本実施形態に係る領収情報出力システム１は、デジタルタコグラフ２００を利用するものである。
これにより、利用情報がデジタルタコグラフ２００を介して送受信され、利用情報に基づいて作成されるＥＴＣの領収情報がスマートフォン３００の表示部３０２に出力される。
この結果、車両に搭載されたデジタルタコグラフを利用して、使用者はＥＴＣの領収情報を確認することができる。例えば、タクシーの中にはデジタルタコグラフが搭載されているものが多くある。このような場合には、ＥＴＣ車載器と携帯端末を用意すれば、新たに機器を追加して搭載することなく、使用者は本発明に係る領収情報出力システムを使用することができる。よって、本実施形態に係る領収情報出力システム１によれば、使用者が簡易な手続きによりＥＴＣ利用情報を確認可能な領収情報出力システムを提供できる。
【００５７】
また、本実施形態に係るデジタルタコグラフ２００は、料金収受システムの路側機１０１と通信して料金収受を行うＥＴＣ車載器１００から該料金収受に関する利用情報を受信する第１の通信部である通信Ｉ／Ｆ２０８と、利用情報に基づいて領収情報を作成する演算部であるマイクロコンピュータ２０１と、領収情報を携帯端末であるスマートフォン３００に送信する第２の通信部である通信Ｉ／Ｆ２０４と、を備える。
これにより、利用情報に基づいて作成される領収情報がスマートフォン３００に送信される。
この結果、スマートフォンに領収情報を表示されることにより、アプリケーションサーバを用いることなく、使用者はＥＴＣの領収情報を確認することができる。よって、よって、本実施形態に係るデジタルタコグラフによれば、使用者が簡易な手続きによりＥＴＣ利用情報を確認可能な領収情報出力システムを提供できる。
【００５８】
尚、本発明の技術的範囲は、上述した実施形態に限定されるものではない。上述した実施形態は、本発明の技術的範囲内で種々の変形や改良等を伴うことができる。
【００５９】
例えば、本実施形態では、携帯端末としてスマートフォン３００を用いたが、携帯端末としては、デジタルタコグラフ２００と通信可能であり、各種情報を表示する表示部を有するものであればよい。
【００６０】
また、上記動作の説明では、ＥＴＣ車載器１００が搭載された車両が有料道路の入口料金所及び出口料金所を通過した場合に、ＥＴＣ車載器１００がＥＴＣ利用情報をデジタルタコグラフ２００に送信し、結果としてスマートフォン３００の表示部３０２にＥＴＣ領収書画面が出力されるとして説明したが、表示部３０２にＥＴＣ領収書画面が出力された後、デジタルタコグラフ２００の読み出し専用メモリ又はスマートフォン３００の読み出し専用メモリにステップＳ３０２で作成したデータテーブル又は利用情報を一定期間保持しておき、再表示を要求する操作入力が受信された場合に一度表示したＥＴＣ領収書画面を再度表示することも可能である。この場合には、再度表示したＥＴＣ表示画面であることを使用者に示すために、ＥＴＣ表示画面の領域１６には、アルファベットのＡに換えてアルファベットのＢが表示される。
また、ステップＳ３０２で作成したデータテーブル又は利用情報を車両の外部に送信して利用することも可能である。例えば、車両の外部に用意されたプリンタでＥＴＣ領収書画面を印刷したり、別の携帯端末上にＥＴＣ領収書画面を出力したりしてもよい。
【００６１】
また、本実施形態では、スマートフォン３００のマイクロコンピュータ３０１が、ＥＴＣ利用情報に基づいて表１に示したようなデータテーブルを作成する構成としたが、デジタルタコグラフ２００のマイクロコンピュータ２０１が、ＥＴＣ車載器１００から受信したＥＴＣ利用情報に基づいて表１に示したようなデータテーブルを作成する構成としてもよい。
【符号の説明】
【００６２】
１００  ＥＴＣ車載器
１０１  ＥＴＣ路側機
２００  デジタルタコグラフ
２０１  マイクロコンピュータ（ＣＰＵ）
２０２  速度／エンジン回転Ｉ／Ｆ
２０３  電源Ｉ／Ｆ
２０４  通信Ｉ／Ｆ
２０５  時計回路
２０６  カードＩ／Ｆ
２０７  メモリーカード
２０８  通信Ｉ／Ｆ
２０９  外部入力Ｉ／Ｆ
２１０  表示部（ＬＣＤ）
２１１  ボタンＩ／Ｆ
３００  スマートフォン
３０１  マイクロコンピュータ
３０２  表示部（ＬＣＤ）
３０３  操作部
３０４  ＲＡＭ
３０５  通信Ｉ／Ｆ
【図１】
0005926933.tif 000003
【図２】
0005926933.tif 000004
【図３】
0005926933.tif 000005